(57)【要約】      （修正有）【課題】液晶表示パネルのパネル抑えと回路基板とを導通する部材と、中ケースの補強部材とを共通部材としたことによって、中ケースの強度を上げ、部品点数を増やすことなく静電気対策が可能な車両用表示装置を提供する。【解決手段】液晶表示パネル１と、少なくとも一部が液晶表示パネル１と隣接した複数の指針式表示器とを備え、液晶表示パネル１の背後に配置される回路基板と、液晶表示パネル１を囲むように構成される中ケースと、を備えた車両用表示装置において、中ケースに配置される補強部材を備えたことによって、液晶表示パネル１のパネル抑えと回路基板とを導通する部材と、中ケースを補強する部材とを共通部材とする。【選択図】図１
2015087138.tif 000002
【特許請求の範囲】
【請求項１】
表示パネルと、
少なくとも一部が前記表示パネルと隣接した複数の表示部と、
前記表示パネルの背後に配置される回路基板と、
前記表示パネル囲むように構成される中ケースと、
を備えた車両用表示装置において、
前記中ケースに配置される補強部材を備えたことを特徴とする車両用表示装置。
【請求項２】
前記補強部材は、金属性材料からなることを特徴とする請求項１に記載の車両用表示装置。
【請求項３】
前記補強部材は、前記表示パネルの裏面側と、前記回路基板との間に固定されることを特徴とする請求項１または２に記載の車両用表示装置。
【請求項４】
前記補強部材は、複数の腕片部を有し、少なくとも1つが前記表示パネルに当接していることを特徴とする請求項１から３のいずれか１項に記載の車両用表示装置。
【発明の詳細な説明】
【技術分野】
【０００１】
本発明は、液晶表示パネルのパネル抑えと回路基板とを導通する部材と、中ケースの補強部材とを共通としたことによって、部材点数を増やすことなく中ケースの強度を上げることが可能な車両用表示装置に関するものである。
【背景技術】
【０００２】
従来から、アナログ計器の中央にディスプレイ表示器が挟まれるように配置された車両用表示装置として、例えば特許文献１に記載のものが知られている。この車両用表示装置は、合成樹脂からなる中ケースの中央にディスプレイ表示器が収納される空間が中ケースの一部によって囲まれることで形成されている。
【０００３】
また、このようなディスプレイ表示器は、ディスプレイパネルに帯電する静電気を回路基板に接地するためのアース部材を備えている（特許文献２）。
近年、ディスプレイパネルはユニット化されたものが販売されており、その大きさが規定されたものが多く存在するため、ディスプレイパネルの大きさに合わせて個々の中ケースを設計せずに、ディスプレイパネルを配置できる空間を中ケースに予め設けた設計としておく必要があった。
【先行技術文献】
【特許文献】
【０００４】
【特許文献１】特開２００６−１２６０７１号公報
【特許文献２】特許５１４１９６２号公報
【発明の概要】
【発明が解決しようとする課題】
【０００５】
しかしながら、車両用表示装置の全体的な大きさが決まっており、客先要求によって大型のディスプレイパネルを使用するときは、ディスプレイパネルを配置する空間が中ケースと同等の大きさになってしまう場合がある。そこで、車両用計器装置の大きさは変えずに中ケースを分断する方法が考えられる。
【０００６】
この際、通常であれば中ケースによって周囲を囲まれることで、ディスプレイパネルが保持されていたが、中ケースが一体ではなく離れた位置に設けられているため、ケース全体の剛性が低下してしまい、車両用表示装置の全体的な剛性を確保するための構造が必要であった。
【０００７】
また、既製のディスプレイパネルを用いる場合、その厚みの違いによっては、ディスプレイの支持フレームと回路基板までの距離が一定ではなく、表示パネルから回路基板までの長さに対応するアース部材を用意することは、簡素化した構造においてコストアップになるという問題点があった。
【０００８】
そこで、本発明はこの様な点に鑑みなされたもので、ディスプレイパネルの支持フレームと回路基板とを導通する部材と、中ケースの補強部材とを共通としたことによって、中ケースの強度を上げ、部品点数を増やすことなく静電気対策が可能な車両用表示装置を提供することを目的とする。
【課題を解決するための手段】
【０００９】
本発明は、表示パネルと、少なくとも一部が前記表示パネルと隣接した複数の表示部と、前記表示パネルの背後に配置される回路基板と、前記表示パネル囲むように構成される中ケースと、を備えた車両用表示装置において、前記中ケースに配置される補強部材を備えたものである。
【００１０】
また、本発明は、前記補強部材は、金属材料からなるものである。
【００１１】
また、本発明は、前記補強部材は、前記表示パネルの裏面側と、前記回路基板との間に固定されるものである。
【００１２】
また、本発明は、前記補強部材は、複数の腕片部を有し、少なくとも1つが前記表示パネルに当接しているものである。
【発明の効果】
【００１３】
本発明によれば、表示パネルの金属フレームと回路基板とを導通する部材と、中ケースの補強部材とを共通としたことによって、中ケースの強度を上げ、部品点数を増やすことなく静電気対策が可能な車両用表示装置を提供することができる。
【図面の簡単な説明】
【００１４】
【図１】本発明の第１の実施形態による液晶表示装置の正面図。
【図２】同上の中ケース正面図。
【図３】同上の補強部材の拡大図。
【図４】同上の補強部材の拡大図。
【図５】同上の液晶パネルの斜視図。
【発明を実施するための形態】
【００１５】
本発明の液晶表示装置の実施形態について、液晶表示パネルを用いたパネル表示器Ａや指針によって指標を指示する指針式表示器Ｂを用いた複合計器を実施例としてあげ、添付図面を用いて以下に説明する。
【００１６】
図１、図２に示すように、液晶表示装置は、パネル表示器Ａと指針式表示器Ｂとからなり、パネル表示器Ａは、液晶表示パネル１と、保持部材２と、光源３と、回路基板４と、フレキシブルプリント配線板５と、から構成され、指針式表示器Ｂは、指針６と、光源７と、下ケース８と、表示板９と、中ケース１０とから構成され、不透過性の樹脂からなる下ケース８に、パネル表示器Ａと指針式表示器Ｂとが収納されている。
【００１７】
液晶表示パネル１は、図５に示すように、前側ガラス基板１Ａと後側ガラス基板１Ｂとの間に液晶分子を封入し、各々のガラス基板１Ａ，１Ｂに偏光膜を貼ったものである。そして、各ガラス基板１Ａ，１Ｂに設けた図示しない電極部に外部測定量に応じた信号（電圧）が印加されると、車両の作動状態（例えば車両の走行距離や燃料残量）などが表示されるパネル表示器が黒色で現れるようになっている。
【００１８】
保持部材２は、後述する液晶表示パネル１を保持するセルケース２１であり、セルケース２は例えば白色の合成樹脂からなり、液晶表示パネル１の周縁が載置される。
【００１９】
パネル抑え２２は、金属材料である例えばステンレス銅板からなり、パネル縁部とパネル囲い部を有している。セルケース２１の載置部に液晶表示パネル１を配置した後、図示しないが、パネル抑え２２のパネル囲い部をセルケース２２のパネル囲い部に嵌め込むことによって押えられるとともに、液晶表示パネル１がセルケース２２に組み付けられるようになっている。
【００２０】
バックケース２３は、金属材料である例えばステンレス銅板からなり、後述するビスが挿入される取付部２３１が一体成形されている。また、後述する位置決めピンが挿入される位置決め孔２３２が形成されている。
【００２１】
フレキシブルプリント配線板５は、詳細は図示しないが、例えばポリイミド樹脂からなる合成樹脂製のベースフィルムに、液晶表示パネル１に設けられた電極部および回路基板４に設けられた回路と接続される銅箔からなる電極部を例えばエッチング法で形成した後、液晶表示パネル１および回路基板４と接続される箇所の電極部を除いて絶縁保護となる保護フィルムを貼り合わせたものである。このフレキシブルプリント配線板７の一方の端部は液晶表示パネル１の後側ガラス基板１Ｂに固着され、他方の端部は回路基板４に実装されたコネクタに挿入される。
【００２２】
指針式表示器Ｂは、パネル表示器Ａと同一の回路基板４上に配置される。
【００２３】
回路基板４は、ガラスエポキシ樹脂からなる硬質回路基板を適用でき、図１に示すように、指針６を照明する光源７の他に、制御回路が同一面上に実装され、それらの電子部材に電力供給するための図示しない回路パターンが形成されている。
【００２４】
指針６は、透光性樹脂材料から成形され、光源７の光によって発光する発光指針である。
【００２５】
表示板９は、光透過性の板材にワーニングや数字などの意匠が印刷によって施されたものである。表示板９には、図示しないムーブメントの指針軸を表示板９の表面側に貫通させるための貫通孔が形成され、指針軸の先端に指針６が装着される。
【００２６】
中ケース１０は、例えば白色の合成樹脂から成形され、回路基板４上に配置される。本実施形態では、中ケース１０は、液晶表示パネル１の右側に位置する第１の中ケース１０ａと、液晶表示パネル１の左側に位置する第２の中ケース１０ｂとから構成されている。また、中ケース１０には、指針軸を中心に回路基板４に実装された光源７からの光を、表示板９に反射させる反射部１０１が形成されている。
【００２７】
第１の中ケース１０ａ及び第２の中ケース１０ｂは、液晶表示パネル１と隣接するように配置され、それぞれが液晶表示パネル１側に向かって突出したスペーサ１１ａ、１１ｂを複数有している。スペーサ１１ａ、１１ｂには位置決めピン１２ａ、１２ｂが一体成形され、バックケース２３の位置決め孔２３２に挿通される。
【００２８】
補強部材１５は、金属性の材料から形成され、本体部１５０と、ビス締め部１５１と、アーム部１５２とを有している。本体部１５０は、長手方向に延設され、少なくとも、中ケース１０のうち液晶表示パネル１の右側に配置される第１の中ケース１０ａの液晶表示パネル端部から、液晶表示パネル１の左側に配置される第２の中ケース１０ｂの液晶表示パネル端部までを、液晶表示パネル１を挟んだ状態で連結することができる長さを有している。
【００２９】
補強部材１５は、液晶表示パネル１の裏面側と、回路基板５との間に配置され、回路基板４と、補強部材１５のビス締め部１５１と、バックケース２３の取付部２３１までが回路基板４の裏面側からビス締めされる。
【００３０】
アーム部１５２は、本体部１５０とは垂直方向に形成されるものであり、図３に示すように複数のアーム部１５２がパネル抑え２２と当接するように配置されている。金属性のアーム部１５２とパネル抑え２２が当接することで、液晶表示パネル１に帯電する静電気を回路基板４に逃がすことができる。また、アーム部１５２は、図４に示すように、ばね性を有するため、直角に垂れ下がるのではなく、複数の段差を有している。
【００３１】
なお、スペーサ１１ａ、１１ｂは、液晶表示パネル１のバックケース２３に設けられた取付部２３１から回路基板４までの隙間が小さい場合や、その隙間によるガタツキが生じないのであれば設けなくてもよい。
【００３２】
このように、本発明によれば、液晶表示パネル１と、少なくとも一部が液晶表示パネル１と隣接した複数の指針式表示器と、液晶表示パネル１の背後に配置される回路基板４と、液晶表示パネル１を囲むように構成される中ケース１０と、を備えた車両用表示装置において、中ケース１０に配置される補強部材１５を備えたことによって、液晶表示パネル１のパネル抑え２２と回路基板４とを導通する部材と、中ケース１０を補強する部材とを共通とすることができる車両用表示装置を提供することができる。
【００３３】
また、本発明によれば、補強部材１５は、金属性材料からなることによって、左右に分割された中ケース１０を連結することで、中ケース１０の強度を上げることができる。
【００３４】
また、本発明によれば、補強部材１５は、液晶表示パネル１の裏面側と、回路基板４との間に固定されることによって、液晶表示パネル１に帯電した静電気を回路基板４に逃がすことができるので、部材点数を増やすことなく静電気対策が可能な車両用表示装置を提供することができる。
【００３５】
また、本発明に寄れば、補強部材１５は、複数のアーム１５２部を有し、少なくとも1つが液晶表示パネル１のパネル抑え２２に当接していることによって、液晶表示パネル１に帯電した静電気を回路基板４に逃がすことができるので、部品点数を増やすことなく静電気対策が可能な車両用表示装置を提供することができる。
【００３６】
なお、中ケース１０は、液晶表示パネル１の右側に位置する第１の中ケース１０ａと、液晶表示パネル１の左側に位置する第２の中ケース１０ｂとから構成されているものを説明したが、液晶表示パネル１の周囲を覆うように第１の中ケース１０ａと第２の中ケース１０ｂとが、補強部材が配置される液晶表示パネル１の一片側と対向する側面側で連結され、一体成形となっていてもよく、この場合も、補強部材を配置することによって、第１の中ケース１０ａと第２の中ケース１０ｂとが連結されていない、液晶表示パネル１の一片側の強度を上げることが可能となり、所期の目的を達成することができる。
【符号の説明】
【００３７】
1      液晶表示パネル
２      保持部材
３      光源
４      回路基板
５      フレキシブルプリント配線板
６      指針
７      光源
８      下ケース
９      表示板
１０    中ケース
１０ａ  第１の中ケース
１０ｂ  第２の中ケース
１１ａ、１１ｂ  スペーサ
１２ａ、１２ｂ  位置決めピン
１５    補強部材
２１    セルケース
２２    パネル抑え
２３    バックケース
１５０  本体部
１５１  ビス締め部
１５２  アーム部（腕片部）
２３１  取付部
２３２  位置決め孔
Ａ    パネル表示器（表示パネル）
Ｂ    指針式表示器（表示部）
【図１】
2015087138.tif 000003
【図２】
2015087138.tif 000004
【図３】
2015087138.tif 000005
【図４】
2015087138.tif 000006
【図５】
2015087138.tif 000007